(57)【要約】【課題】侵入者によって窓ガラス等が破られた場合でも、クレセント片の開放操作を防止することができるクレセント錠を提供すること。【解決手段】クレセント片２の回動に追従して摺動するロック片３を配設するとともに、このロック片３に係合しその摺動を阻止する符号錠４を設ける。【選択図】図１
2005256285.tif 000002
【特許請求の範囲】
【請求項１】
屋外側のサッシ枠に掛止金具を設けるとともに、屋内側のサッシ枠にクレセント片を回動可能に設け、クレセント片をその回動により掛止金具に掛止するようにしたクレセント錠において、屋内側のサッシ枠に、前記クレセント片の回動に追従して摺動するロック片を配設するとともに、該ロック片に係合しその摺動を阻止する符号錠を設けたことを特徴とするクレセント錠。
【発明の詳細な説明】
【技術分野】
【０００１】
本発明は、クレセント錠に関し、特に、不法な侵入者によって窓ガラス等が破られた場合でも、クレセント片の開放操作を防止することができるクレセント錠に関するものである。
【背景技術】
【０００２】
クレセント錠は、主としてアルミサッシのガラス窓やガラス戸に取り付けられており、屋外側のサッシ枠に掛止金具を設けるとともに、屋内側のサッシ枠にクレセント片を回動可能に設け、クレセント片を回動することにより掛止金具に掛止し、ガラス窓やガラス戸を施錠するようにしている。
【０００３】
しかしながら、最近では、侵入者がクレセント錠付近のガラスを割って手を室内側に差し入れ、クレセント片を開放操作することにより、ガラス窓やガラス戸が不正に開けられるという問題が生じている。
【発明の開示】
【発明が解決しようとする課題】
【０００４】
本発明は、上記従来のクレセント錠が有する問題点に鑑み、侵入者によって窓ガラス等が破られた場合でも、クレセント片の開放操作を防止することができるクレセント錠を提供することを目的とする。
【課題を解決するための手段】
【０００５】
上記目的を達成するため、本発明のクレセント錠は、屋外側のサッシ枠に掛止金具を設けるとともに、屋内側のサッシ枠にクレセント片を回動可能に設け、クレセント片をその回動により掛止金具に掛止するようにしたクレセント錠において、屋内側のサッシ枠に、前記クレセント片の回動に追従して摺動するロック片を配設するとともに、該ロック片に係合しその摺動を阻止する符号錠を設けたことを特徴とする。
【発明の効果】
【０００６】
本発明のクレセント錠によれば、屋外側のサッシ枠に掛止金具を設けるとともに、屋内側のサッシ枠にクレセント片を回動可能に設け、クレセント片をその回動により掛止金具に掛止するようにしたクレセント錠において、屋内側のサッシ枠に、前記クレセント片の回動に追従して摺動するロック片を配設するとともに、該ロック片に係合しその摺動を阻止する符号錠を設けることから、該符号錠によりロック片を介してクレセント片をロックすることができ、これにより、侵入者によって窓ガラス等が破られた場合でも、クレセント片の開放操作を防止し、ガラス窓やガラス戸の不正な解錠を防止することができる。
また、居住者が解錠するときは、符号錠の符号を合わせることによりロック片を解放し、この状態で摘み片を操作することにより、クレセント片を掛止金具から容易に離脱させることができる。
そして、クレセント片をロックするために符号錠を用いるようにしているため、不正な解錠を効果的に防止しながら、鍵の紛失等の問題がなく、使用勝手のよいクレセント錠を提供することができる。
【発明を実施するための最良の形態】
【０００７】
以下、本発明のクレセント錠の実施の形態を図面に基づいて説明する。
【実施例１】
【０００８】
図１に、本発明のクレセント錠の第１実施例を示す。
このクレセント錠は、屋外側のサッシ枠Ａに掛止金具１を設けるとともに、屋内側のサッシ枠Ｂにクレセント片２を回動可能に設け、クレセント片２をその回動により掛止金具１に掛止するようにしている。
そして、このクレセント錠は、屋内側のサッシ枠Ｂに、前記クレセント片２の回動に追従して摺動するロック片３を配設するとともに、該ロック片３に係合しその摺動を阻止する符号錠４を設けている。
【０００９】
掛止金具１は、例えば、屋外側のサッシ枠Ａに形成した舌片状のものからなり、クレセント片２の鍔部２２が掛合する。
【００１０】
クレセント片２は、屋内側のサッシ枠Ｂに、横軸２１によって回動可能に枢着された円盤状のものからなり、側方に張り出した鍔部２２の位置で掛止金具１に掛止するとともに、該鍔部２２を切り欠いた開口部２３の位置で掛止金具１を解放する。
クレセント片２の外周面には、後述する摘み片５のラック５１と噛合するピニオン２４が形成されている。
【００１１】
ロック片３は、サッシ枠Ｂに凹設した取手部６の背面に摺動可能に配設されており、クレセント片２のピニオン２４とラック５１により噛合する摘み片５を介して、クレセント片２の回動により上下に摺動することができる。
ロック片３の背面には、後述する符号錠４の摺動片４１に当接する凹凸３１が形成されている。
【００１２】
符号錠４は、サッシ枠Ｂに摺動可能に配設された複数個（本実施例においては、３個）の摺動片４１を備え、各摺動片４１は、その背面側に形成した長溝４２にロック片３を挿通させている。
摺動片４１の長溝４２は、その一部に形成された切欠の位置で、ロック片３の凹凸３１を摺動可能に挿通させるとともに、切欠以外の位置ではロック片３の凹凸３１に当接してロック片３を固定するようにしている。
これにより、符号錠４は、各摺動片４１が、取手部６に表示した所定の符号位置（本実施例においては、上から１、３、２）に位置する場合にのみ、ロック片３を解放しその摺動を許容する。
なお、符号錠４としては、本実施例において採用したもののほか、摺動片４１側に符号を付したものやサッシ枠Ｂに複数個の揺動片又は回転片を配設したもの等の各種形式の符号錠を採用することができる。
【実施例２】
【００１３】
図２に、本発明のクレセント錠の第２実施例を示す。
このクレセント錠は、クレセント片２とピニオン２４、７１同士が噛合する摘み片７を回動可能に設け、該摘み片７の回転軸から偏心した位置にロック片３の上端を枢着している。
これにより、ロック片３は、この摘み片７を介して、クレセント片２の回動により上下に摺動することができる。
なお、符号錠４やその他の構成及びその作用は、第１実施例と同様である。
【実施例３】
【００１４】
図３に、本発明のクレセント錠の第３実施例を示す。
このクレセント錠は、クレセント片２にレバー状の摘み片８を一体に形成するとともに、該クレセント片２の回転軸から偏心した位置にロック片３の上端を枢着している。
これにより、ロック片３は、クレセント片２の回動により直接上下に摺動することができる。
なお、符号錠４やその他の構成及びその作用は、第１実施例と同様である。
【実施例４】
【００１５】
図４に、本発明のクレセント錠の第４実施例を示す。
このクレセント錠は、クレセント片２にレバー状の摘み片８及びピニオン８１を一体に形成するとともに、該ピニオン８１に噛合するようにロック片３の上端に形成したラック３２を位置させるようにしている。
これにより、ロック片３は、クレセント片２の回動により、ピニオン８１及びラック３２を介して、上下に摺動することができる。
また、符号錠４は、揺動片４３を揺動操作する方式としている。
なお、その他の構成及びその作用は、第１実施例と同様である。
【００１６】
かくして、上記各実施例のクレセント錠は、屋外側のサッシ枠Ａに掛止金具１を設けるとともに、屋内側のサッシ枠Ｂにクレセント片２を回動可能に設け、クレセント片２をその回動により掛止金具１に掛止するようにしたクレセント錠において、屋内側のサッシ枠Ｂに、前記クレセント片２の回動に追従して摺動するロック片３を配設するとともに、該ロック片３に係合しその摺動を阻止する符号錠４を設けることから、該符号錠４によりロック片３を介してクレセント片２をロックすることができ、これにより、侵入者によって窓ガラス等が破られた場合でも、クレセント片２の開放操作を防止し、ガラス窓やガラス戸の不正な解錠を防止することができる。
また、居住者が解錠するときは、符号錠４の符号を合わせることによりロック片３を解放し、この状態で摘み片５、７、８を操作することにより、クレセント片２を掛止金具１から容易に離脱させることができる。
そして、クレセント片２をロックするために符号錠４を用いるようにしているため、不正な解錠を効果的に防止しながら、鍵の紛失等の問題がなく、使用勝手のよいクレセント錠を提供することができる。
【００１７】
以上、本発明のクレセント錠について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができる。
【産業上の利用可能性】
【００１８】
以上、本発明のクレセント錠は、侵入者によって窓ガラス等が破られた場合でも、クレセント片の開放操作を防止するという特性を有していることから、ガラス窓やガラス戸の不正解錠防止の用途に好適に用いることができる。
【図面の簡単な説明】
【００１９】
【図１】本発明のクレセント錠の第１実施例を示し、（ａ）は正面図、（ｂ）は解錠状態の断面図、（ｃ）は施錠状態の断面図である。
【図２】本発明のクレセント錠の第２実施例を示し、（ａ）は正面図、（ｂ）は解錠状態の断面図、（ｃ）は施錠状態の断面図である。
【図３】本発明のクレセント錠の第３実施例を示し、（ａ）は正面図、（ｂ）は解錠状態の断面図、（ｃ）は施錠状態の断面図である。
【図４】本発明のクレセント錠の第４実施例を示し、（ａ）は正面図、（ｂ）は解錠状態の断面図（右側面図）、（ｃ）は施錠状態の断面図（左側面図）、（ｄ）は（ａ）のＸ−Ｘ断面図である。
【符号の説明】
【００２０】
Ａ    屋外側のサッシ枠
Ｂ    屋内側のサッシ枠
１    掛止金具
２    クレセント片
２１  横軸
２２  鍔部
２３  開口部
２４  ピニオン
３    ロック片
３１  凹凸
３２  ラック
４    符号錠
４１  摺動片
４２  長溝
４３  揺動片
５    摘み片
５１  ラック
６    取手部
７    摘み片
７１  ピニオン
８    摘み片
８１  ピニオン
【図１】
2005256285.tif 000003
【図２】
2005256285.tif 000004
【図３】
2005256285.tif 000005
【図４】
2005256285.tif 000006